(57)【要約】【課題】この発明は、高い衝撃吸収性能を有する電子機器を提供することを課題とする。【解決手段】ディスク装置４０は、ハードディスクドライブ１、ＨＤＤ１の筐体１１の縁部１ａに取り付けられたダンパ４２、ダンパ４２を収容して保持することでＨＤＤ１を支持したシャーシ４４、プリント回路基板４６、およびＨＤＤ１、ダンパ４２、シャーシ４４、ＰＣＢ４６を収容したケース５１、５２を有する。シャーシ４４の上板４４ａおよび下板４４ｂは、ダンパ４２の変形に応じて変形可能な可撓性を有する。【選択図】　　図２
2004014031.tif 000002
【特許請求の範囲】
【請求項１】
本体と、
この本体に内蔵される電子部品と、
この電子部品に取り付けられた緩衝部材と、
この緩衝部材を支持するとともに該緩衝部材の変形に応じて変形可能な可撓性部分を有するシャーシと、
を備えていることを特徴とする電子機器。
【請求項２】
上記シャーシは、回路基板に取り付けられることを特徴とする請求項１に記載の電子機器。
【請求項３】
上記回路基板には、無線によりデータを送受信するためのアンテナが取り付けられていることを特徴とする請求項２に記載の電子機器。
【請求項４】
本体と、
この本体に内蔵される電子部品と、
この電子部品を保持する保持部、およびこの保持部より延出した変形可能な延出部を有する保持部材と、
この保持部材の延出部に取り付けられた緩衝部材と、
この緩衝部材を支持するともに該緩衝部材の変形に応じて変形可能な可撓性部分を有するシャーシと、
を備えていることを特徴とする電子機器。
【請求項５】
上記シャーシは、回路基板に取り付けられることを特徴とする請求項４に記載の電子機器。
【請求項６】
上記回路基板には、無線によりデータを送受信するためのアンテナが取り付けられていることを特徴とする請求項５に記載の電子機器。
【発明の詳細な説明】
【０００１】
【発明の属する技術分野】
この発明は、ディスク状の記録媒体に対する情報の記録および再生を行なう電子機器に関する。
【０００２】
【従来の技術】
従来、ディスク装置として、例えば、パーソナルコンピュータ等の電子機器に搭載可能な小型且つ大容量のハードディスクドライブ（以下、ＨＤＤと称する）が知られている。
【０００３】
ＨＤＤは、高速回転するディスク、ディスクに対する情報の記録および再生を行なうヘッド、ヘッドを先端に搭載して揺動することでヘッドをディスクの所望するトラック上へ移動および位置決めするヘッドアクチュエータ、および装置の外殻をなす筐体を有する。
【０００４】
ＨＤＤは、高速回転するディスクに対して微小ギャップを介してヘッドを対向させる必要があるため、動作中に外部から振動が与えられると、ヘッドがディスクに接触して正常な動作ができなくなる。このため、ＨＤＤは、通常、筐体の周囲に衝撃を吸収するためのゴム等のダンパを取り付けた状態で電子機器に組み込まれる。
【０００５】
【発明が解決しようとする課題】
しかし、上述したように筐体の周囲にゴム等のダンパを取り付けただけでは、電子機器に対して外部から比較的大きな衝撃が与えられたとき、この衝撃を十分に吸収することができずに、ＨＤＤに不所望な振動が与えられてしまっていた。例えば、電子機器を落下してしまったような場合、ＨＤＤに大きな衝撃が加わり、ＨＤＤを破損してしまう場合があった。
【０００６】
この発明は、以上の点に鑑みなされたもので、その目的は、高い衝撃吸収性能を有するディスク装置を提供することにある。
【０００７】
【課題を解決するための手段】
上記目的を達成するため、本発明の電子機器は、本体と、この本体に内蔵される電子部品と、この電子部品に取り付けられた緩衝部材と、この緩衝部材を支持するとともに該緩衝部材の変形に応じて変形可能な可撓性部分を有するシャーシと、を備えている。
【０００８】
また、本発明の電子機器は、本体と、この本体に内蔵される電子部品と、この電子部品を保持する保持部、およびこの保持部より延出した変形可能な延出部を有する保持部材と、この保持部材の延出部に取り付けられた緩衝部材と、この緩衝部材を支持するともに該緩衝部材の変形に応じて変形可能な可撓性部分を有するシャーシと、を備えている。
【０００９】
【発明の実施の形態】
以下、図面を参照しながらこの発明の実施の形態について詳細に説明する。
【００１０】
図１には、ハードディスクドライブ１（ＨＤＤ）（電子部品）の蓋体１５を取り外した状態の分解斜視図を示してある。ＨＤＤ１は、密閉された扁平な矩形状の筐体１１を備え、この筐体１１は、上面の開口した矩形箱状の本体１０と、複数のねじ１６により本体１０にねじ止めされて本体１０の上端開口を閉塞する矩形板状の蓋体１５と、を有している。
【００１１】
本体１０内には、記録媒体としての２枚の磁気ディスク１２ａ、１２ｂ、これらの磁気ディスク１２ａ、１２ｂを支持および回転駆動させるスピンドルモータ１３、磁気ディスク１２ａ、１２ｂに対して情報の記録、再生を行なう複数の磁気ヘッド２２、これらの磁気ヘッド２２を磁気ディスク１２ａ、１２ｂに沿って移動自在に支持したヘッドアクチュエータ１４、ヘッドアクチュエータ１４を回動および位置決めするボイスコイルモータ（以下ＶＣＭと称する）１９、磁気ヘッド２２が磁気ディスク１２ａ、１２ｂの最外周に移動した際、磁気ヘッド２２を磁気ディスク１２ａ、１２ｂから離間した位置に保持するランプロード機構１８、ヘッドクチュエータ１４を退避位置に保持するイナーシャラッチ機構２０、およびプリアンプ等の回路部品が実装されたフレキシブルプリント回路基板ユニット（以下、ＦＰＣユニットと称する）１７が収納されている。
【００１２】
各磁気ディスク１２ａ、１２ｂは、例えば、直径６５ｍｍ（２．５インチ）に形成され、上面および下面に磁気記録層を有している。２枚の磁気ディスク１２ａ、１２ｂは、スピンドルモータ１３の図示しないハブに互いに同軸的に嵌合されているとともにクランプばね２１によりクランプされ、ハブの軸方向に沿って所定の間隔をおいて積層されている。そして、磁気ディスク１２ａ、１２ｂは、スピンドルモータ１３により所定の速度で回転駆動される。
【００１３】
ヘッドアクチュエータ１４は、本体１０の底壁上に固定された軸受組立体２４、軸受組立体２４に取り付けられた４本のアーム２７、および各アーム２７に支持された４つの磁気ヘッド組立体３０を備えている。各磁気ヘッド組立体３０は、板ばねによって形成された細長いサスペンションと、サスペンションに固定された磁気ヘッド２２と、を備えている。
【００１４】
そして、各磁気ヘッド２２は、アーム２７およびサスペンションの表面に貼り付け固定された図示しない中継フレキシブルプリント回路基板、およびメインフレキシブル回路基板３２を介してＦＰＣユニット１７に電気的に接続されている。
【００１５】
ＨＤＤ１の動作時、磁気ディスク１２ａ、１２ｂがスピンドルモータ１３によって高速回転されて、ヘッドアクチュエータ１４がＶＣＭ１９によって回動され、磁気ヘッド２２が磁気ディスク１２ａ、１２ｂ上を略半径方向に沿って移動し、所望のトラック上に位置決めされる。
【００１６】
上述したＨＤＤ１は、磁気ヘッド２２を磁気ディスク１２の表面に対して微小ギャップを介して対向させる必要があるため、筐体外部から不所望な振動が与えられると、磁気ヘッド２２が高速回転する磁気ディスク１２に容易に接触してしまい、正常な動作が不可能になるばかりか、最悪の場合、磁気ヘッド２２および／或いは磁気ディスク１２が破損してしまうことが考えられる。
【００１７】
このため、通常、ＨＤＤ１は、衝撃を吸収させるためのダンパを取り付けた状態で、パーソナルコンピュータ等の電子機器内に組み込まれる。これにより、不所望な衝撃による上述した不具合を防止するようにしている。以下、ＨＤＤ１の衝撃吸収構造について、いくつかの実施例をあげて説明する。
【００１８】
図２には、この発明の第１の実施の形態に係る衝撃吸収構造を備えたディスク装置４０（電子機器）の分解平面図を示してある。このディスク装置４０は、以下に説明する衝撃吸収構造を備えたＨＤＤ１を電子機器に直接取り付けるのではなく略矩形板状のケース５０（図４参照）内に収容して携帯可能としたことを特徴としている。尚、以下の説明では、略矩形板状のＨＤＤ１に関し、磁気ディスク１２の回転軸に沿った図中上下方向を厚さ方向（図中矢印Ｔ方向）とし、長手方向（図中矢印Ｌ方向）を長さ方向とし、短手方向（図中矢印Ｗ方向）を幅方向とする。
【００１９】
本実施の形態のディスク装置４０は、上述したＨＨＤ１の他に、２つのダンパ４２（緩衝部材）、２つのシャーシ４４、プリント回路基板４６（回路基板）（以下、単にＰＣＢ４６と称する）、およびこれらＨＤＤ１、ダンパ４２、シャーシ４４、ＰＣＢ４６を収容したケース５０（本体）を有する。ダンパ４２およびシャーシ４４は、左右対象形に形成されている。
【００２０】
ダンパ４２は、ＨＤＤ１の筐体１１の長さ方向Ｌに沿った縁部１ａ（１ｂ）を嵌入可能なスリット４３を有する細長い略矩形ブロック状のゴムなどの衝撃吸収部材により形成されている。スリット４３は、ダンパ４２の全長より僅かに短く形成され、筐体１１の縁部１ａをダンパ４２の略中央位置まで受け入れ可能な深さを有する（図３参照）。
【００２１】
シャーシ４４は、ダンパ４２の厚さ方向Ｔに沿った上面４２ａおよび下面４２ｂにそれぞれ面接する上板４４ａ、下板４４ｂ、および上板４４ａと下板４４ｂとをその長さ方向Ｌに沿った両端でそれぞれ連結する連結板４４ｃを有する略矩形枠状に形成されている。シャーシ４４は、その枠内にダンパ４２を収容するように包んで保持することにより、ＨＤＤ１の筐体１１に非接触状態でＨＤＤ１を支持する。
【００２２】
シャーシ４４の上板４４ａおよび下板４４ｂのうち少なくとも一方は、衝撃によりダンパ４２が変形したときこの変形に合わせて変形可能な可撓性部分として機能する。本実施の形態では、上板４４ａおよび下板４４ｂをそれぞれ撓ませ易い材質或いは厚さに形成した。これにより、ＨＤＤ１の外部から衝撃が与えられたとき、その衝撃を吸収すべくダンパ４２が変形した際、シャーシ４４自体も変形可能となり、二重に衝撃を吸収することができ、衝撃吸収性能を高めることができた。
【００２３】
また、シャーシ４４の上板４４ａの長さ方向Ｌに沿った両端近くには、シャーシ４４の上方に配置したＰＣＢ４６を図３に示すようにネジ止めするためのボス部４５が突設されている。
【００２４】
ＰＣＢ４６は、ＨＤＤ１のＦＰＣユニット１７を介してスピンドルモータ１３、ＶＣＭ１９、および磁気ヘッド２２の動作を制御するための複数の電子部品（図示せず）を実装している。特に、ＰＣＢ４６には、図示しないアンテナが取り付けられており、図示しない外部機器との間で無線によるデータの送受信が可能となっている。
【００２５】
ケース５０は、略矩形箱状の下部分５１および上部分５２を有し、ＨＤＤ１、ダンパ４２、シャーシ４４、およびＰＣＢ４６を内部に収容して貼り合せることにより、図４に示すようにディスク装置４０を形成する。ケース５０は、少なくとも、ＨＤＤ１の筐体１１、ダンパ４４の上板４４ａ、および下板４４ｂに対して非接触状態で取り付けられる。
【００２６】
以上のように、本実施の形態によると、ＨＤＤ１の筐体１１に取り付けたダンパ４２をシャーシ４４によって保持してＨＤＤ１を支持する構造とし、シャーシ４４自体が変形し易い可撓性を有する部分、すなわち上板４４ａおよび下板４４ｂを有するため、ＨＤＤ１の外部から衝撃が加えられたとき、ダンパ４２が変形して衝撃を吸収すると同時にシャーシ４４も変形して衝撃を吸収することができ、衝撃吸収性能を高めることができた。これにより、ディスク装置４０を落下させて比較的大きな衝撃が与えられたような場合であっても、ＨＤＤ１を破損することを防止できる。
【００２７】
また、本実施の形態のように、ＨＤＤ１、上板４４ａ、および下板４４ｂに対して非接触状態で、ＨＤＤ１、ダンパ４２、シャーシ４４、およびＰＣＢ４６をケース５０内に収容せしめたことにより、ディスク装置４０の耐衝撃性能を高くすることができた。
【００２８】
図５には、上述したダンパ４２およびシャーシ４４からなる衝撃吸収構造の変形例を示してある。この変形例では、シャーシ４４の上板４４ａと下板４４ｂとを分割可能とし、上板４４ａにだけ可撓性を持たせた。これにより、変形し難い下板４４ｂによってダンパ４２を介してＨＤＤ１をしっかり支持可能であるとともに、変形し易い上板４４ａによって衝撃吸収性能を高めることができる。
【００２９】
次に、この発明の第２の実施の形態に係る衝撃吸収構造を備えたディスク装置６０について、図６を参照して説明する。このディスク装置６０は、アダプタ６２（保持部材）を介してＨＤＤ１の筐体１１の縁部１ａ、１ｂにダンパ４２を取り付けたことを特徴としており、これ以外の構造は上述した第１の実施の形態のディスク装置４０と略同一の構造を有する。このため、ここでは、上述した第１の実施の形態のディスク装置４０と同様に機能する構成要素については同一符号を付してその詳細な説明を省略する。
【００３０】
アダプタ６２は、ＨＤＤ１の筐体１１の縁部１ａ（１ｂ）を受け入れてそのばね構造により嵌合保持可能な略断面コ字状（保持部）の金属製の板状部材により形成されている。また、アダプタ６２は、筐体１１の縁部１ａから幅方向Ｗに沿って離れる方向に延出した変形可能な矩形板状のフランジ部６３（延出部）を突設している。フランジ部６３の板厚が薄いため、このフランジ部６３を受け入れるダンパ４２のスリット４３は、上述した第１の実施の形態より薄くされている。
【００３１】
以上のように、本実施の形態によると、上述した第１の実施の形態と比較して、さらに衝撃吸収性能を高めることができる。つまり、ダンパ４２を取り付けたアダプタ６２のフランジ部６３が変形可能であるため、ＨＤＤ１に対して外部から与えられる衝撃により、シャーシ４４の上板４４ａ、下板４４ｂ、およびダンパ４２が変形するとともに、フランジ部６３が変形する。これにより、三重の衝撃吸収が可能となり、衝撃吸収性能をより高めることができた。
【００３２】
尚、この発明は、上述した実施の形態に限定されるものではなく、この発明の範囲内で種々変形可能である。例えば、上述した実施の形態では、ダンパ４２およびシャーシ４４を取り付けたＨＤＤ１をケース５０に収容した場合について説明したが、これに限らず、ダンパ４２およびシャーシ４４を取り付けた状態のＨＤＤ１を直接パーソナルコンピュータ等の電子機器に取り付けても良い。
【００３３】
また、上述した実施の形態のディスク装置４０、６０は、ケース５０の有り無しに係わらず、不所望な衝撃が与えられ易い環境で使用するのに適している。例えば、車、航空機、船舶等の乗り物に搭載するディスク装置に適している。
【００３４】
【発明の効果】
以上説明したように、この発明の電子機器は、上記のような構成および作用を有しているので、比較的大きな衝撃に対しても、高い衝撃吸収性能を示すことができる。
【図面の簡単な説明】
【図１】この発明の実施の形態に係るディスク装置のＨＤＤの内部構造を説明するための分解斜視図。
【図２】図１のＨＤＤを含むとともにこの発明の第１の実施の形態に係る衝撃吸収構造を備えたディスク装置の分解斜視図。
【図３】図２の衝撃吸収構造の要部を部分的に拡大して示す部分拡大断面図。
【図４】図２のディスク装置の外観斜視図。
【図５】図２の衝撃吸収構造の変形例を示す分解斜視図。
【図６】この発明の第２の実施の形態に係る衝撃吸収構造を備えたディスク装置の分解斜視図。
【符号の説明】
１…ハードディスクドライブ（ＨＤＤ）、
１ａ、１ｂ…縁部、
１１…筐体、
１２…磁気ディスク、
１３…スピンドルモータ、
１４…ヘッドアクチュエータ、
１９…ボイスコイルモータ、
２２…磁気ヘッド、
４０、６０…ディスク装置、
４２…ダンパ、
４３…スリット、
４４…シャーシ、
４４ａ…上板、
４４ｂ…下板、
４６…プリント回路基板（ＰＣＢ）、
５０…ケース、
５１…下部分、
５２…上部分。
【図１】
2004014031.tif 000003
【図２】
2004014031.tif 000004
【図３】
2004014031.tif 000005
【図４】
2004014031.tif 000006
【図５】
2004014031.tif 000007
【図６】
2004014031.tif 000008